(57)【要約】  【課題】背もたれの位置を変更可能な椅子において座り心地を向上する。  【解決手段】使用者が着座可能な着座面を有する座体と、背もたれと、を備える椅子である。上記背もたれは設置面を基準とした前後方向の位置を変更可能に構成されている。当該椅子は、上記背もたれが相対的に後方に位置する第１状態と、該第１状態よりも上記背もたれが相対的に前方に位置する第２状態と、に遷移可能に構成されている。上記背もたれにおける着座した上記使用者と当接する部分は、弾性を有するシート状部材により構成されている。【選択図】図１
2019150568.tif 000002
【特許請求の範囲】
【請求項１】
使用者が着座可能な着座面を有する座体と、背もたれと、を備える椅子であって、
前記背もたれは設置面を基準とした前後方向の位置を変更可能に構成されており、
当該椅子は、前記背もたれが相対的に後方に位置する第１状態と、該第１状態よりも前記背もたれが相対的に前方に位置する第２状態と、に遷移可能に構成されており、
前記背もたれにおける着座した前記使用者と当接する部分は、弾性を有するシート状部材により構成されている、椅子。
【請求項２】
使用者が着座可能な着座面を有する座体と、背もたれと、を備える椅子であって、
前記背もたれは設置面を基準とした傾斜角度を変更可能に構成されており、
当該椅子は、前記背もたれが相対的に後方に傾斜する第１状態と、該第１状態よりも前記背もたれが相対的に前方に傾斜する第２状態と、に遷移可能に構成されており、
前記背もたれにおける着座した前記使用者と当接する部分は、弾性を有するシート状部材により構成されている、椅子。
【請求項３】
請求項１又は請求項２に記載の椅子であって、
前記背もたれは、
当該椅子を前記第１状態としたときに上下方向に長さを有する柱状であって、左右方向に間隔を開けて設けられ、前記シート状部材を保持する一対の保持部と、
前記シート状部材の後方において前記シート状部材から前後方向に間隔を開けて配置され、前記一対の保持部を架け渡す少なくとも１つの連結部材と、を備える、椅子。
【請求項４】
請求項３に記載の椅子であって、
前記少なくとも１つの連結部材は、前記一対の保持部の長手方向に幅を有する板状の部材である、椅子。
【請求項５】
請求項３又は請求項４に記載の椅子であって、
前記少なくとも１つの連結部材は、該連結部材の左右方向の中央が後方に凸となるように湾曲した形状である、椅子。
【請求項６】
請求項３から請求項５のいずれか１項に記載の椅子であって、
前記少なくとも１つの連結部材は、複数の連結部材であり、
前記複数の連結部材は、前記一対の保持部の長手方向に並び、かつ、前記長手方向に間隔を開けて配置されている、椅子。
【請求項７】
請求項３から請求項６のいずれか１項に記載の椅子であって、
当該椅子を前記第１状態としたときに、少なくとも前記一対の保持部における上下方向の中央よりも下部において、前記少なくとも１つの連結部材が配置されている、椅子。
【請求項８】
請求項３から請求項７のいずれか１項に記載の椅子であって、
前記一対の保持部それぞれは、略直線的に延びている、椅子。
【請求項９】
高さの異なる複数の段床を備え、前記複数の段床が上下方向に重なった状態である収納状態と、前記複数の段床が階段状に展開されて観覧席を構成する状態である展開状態と、に遷移可能な階段式移動観覧席であって、
前記複数の段床には、請求項１から請求項８のいずれか１項に記載の椅子が連結されている、階段式移動観覧席。
【発明の詳細な説明】
【技術分野】
【０００１】
本開示は、背もたれを有する椅子に関する。
【背景技術】
【０００２】
使用時には背もたれが後方に位置し、不使用時には背もたれが前方に位置する椅子がある。下記特許文献１の椅子は、背もたれを前方に傾斜させると、後方に配置される椅子や机との間隔が広くなり、移動において都合がよい。また下記特許文献２の移動観覧席では、椅子全体を前方に倒して床面に沿った状態とすることで、段床の収納が可能となる。
【先行技術文献】
【特許文献】
【０００３】
【特許文献１】特開２００４−２３００６８号公報
【特許文献２】国際公開番号ＷＯ１９９９／０３６６４５号パンフレット
【発明の概要】
【発明が解決しようとする課題】
【０００４】
背もたれの厚みが小さいと椅子全体の前後の幅が小さくなるため、前方に傾斜させたときに、上記特許文献１の場合は後方の通路幅を広く確保でき、また上記特許文献２の場合は床面からの高さを小さくできる。背もたれの厚みを小さくするには背もたれにクッションを設けないという手法があるが、クッションを除くと、座り心地を十分に向上できない。
【０００５】
本開示の目的は、座り心地を向上した椅子を提供することである。
【課題を解決するための手段】
【０００６】
本開示の一態様は、使用者が着座可能な着座面を有する座体と、背もたれと、を備える椅子である。前記背もたれは設置面を基準とした前後方向の位置を変更可能に構成されている。当該椅子は、前記背もたれが相対的に後方に位置する第１状態と、該第１状態よりも前記背もたれが相対的に前方に位置する第２状態と、に遷移可能に構成されている。前記背もたれにおける着座した前記使用者と当接する部分は、弾性を有するシート状部材により構成されている。
【０００７】
このような構成であれば、背もたれに弾性を有するシート状部材を用いるため、硬い背もたれを用いた椅子と比較して座り心地が向上する。さらに、背もたれにシート状部材を用いることで背もたれの幅を小さくできるため、背もたれを配置するために必要な空間を小さくすることができる。
【０００８】
本開示の別の態様は、使用者が着座可能な着座面を有する座体と、背もたれと、を備える椅子である。前記背もたれは設置面を基準とした傾斜角度を変更可能に構成されている。当該椅子は、前記背もたれが相対的に後方に傾斜する第１状態と、該第１状態よりも前記背もたれが相対的に前方に傾斜する第２状態と、に遷移可能に構成されている。前記背もたれにおける着座した前記使用者と当接する部分は、弾性を有するシート状部材により構成されている。
このような構成であれば、上述した本開示の一態様の椅子と同様に、座り心地の向上と、背もたれを配置するために必要な空間の縮小と、を実現することができる。
【０００９】
前記背もたれは、一対の保持部と、少なくとも１つの連結部材と、を備えてもよい。前記一対の保持部は、当該椅子を前記第１状態としたときに上下方向に長さを有する柱状であって、左右方向に間隔を開けて設けられ、前記シート状部材を保持してもよい。前記少なくとも１つの連結部材は、前記シート状部材の後方において前記シート状部材から前後方向に間隔を開けて配置され、前記一対の保持部を架け渡してもよい。
【００１０】
このような構成であれば、少なくとも１つの連結部材によってシート状部材の後方が覆われる。そのため、着席者の背中に何らかの物が当たって着席者が不快に感じてしまうことを抑制できる。また、シート状部材と少なくとも１つの連結部材との間に間隔が設けられていることから、シート状部材の後方への変形が制限されにくい。そのため、シート状部材が十分に変形できずに座り心地が悪化してしまうことを抑制できる。
【００１１】
また、前記少なくとも１つの連結部材は、前記一対の保持部の長手方向に幅を有する板状の部材であってもよい。
このような構成であれば、少なくとも１つの連結部材の厚さが大きくなってしまうことが抑制され、背もたれ全体として厚くなってしまうことを抑制できる。ここでいう厚さとは、少なくとも当該椅子が第１状態にある場合の略前後方向の厚さである。また、少なくとも１つの連結部材が上記長手方向に幅を有するため、シート状部材の広い範囲を囲うこととなり、着席者の背中へ物が当たることを高度に抑制できる。
【００１２】
また、前記少なくとも１つの連結部材は、該連結部材の左右方向の中央が後方に凸となるように湾曲した形状であってもよい。
このような構成であれば、着席者の背中が少なくとも１つの連結部材に強く当たることによって着席者が不快に感じてしまうことを抑制できる。
【００１３】
また、前記少なくとも１つの連結部材は、複数の連結部材であってもよい。また、前記複数の連結部材は、前記一対の保持部の長手方向に並び、かつ、前記長手方向に間隔を開けて配置されていてもよい。
【００１４】
このような構成であれば、連結部材が複数配置されることにより着席者の背中に何らかの物が当たってしまうことを高度に抑制できる。
また、当該椅子を前記第１状態としたときに、少なくとも前記一対の保持部における上下方向の中央よりも下部において、前記少なくとも１つの連結部材が配置されていてもよい。このような構成であれば、少なくとも背もたれの下方部分を少なくとも１つの連結部材により囲うことができる。
【００１５】
また、前記一対の保持部それぞれは、略直線的に延びていてもよい。このような構成であれば、保持部が大きくカーブする背もたれと比較すると、背もたれが相対的に平面的な形状となるため、背もたれの前後方向の幅が大きくなってしまうことを抑制できる。
【００１６】
本開示のさらに別の態様は、高さの異なる複数の段床を備え、前記複数の段床が上下方向に重なった状態である収納状態と、前記複数の段床が階段状に展開されて観覧席を構成する状態である展開状態と、に遷移可能な階段式移動観覧席であって、前記複数の段床には、上述した本開示の一態様の椅子が連結されている。
【００１７】
このような階段式移動観覧席であれば、上述した椅子を用いることで、椅子を小さく収納することができる。そのため、例えば、階段式移動観覧席の段床の上下方向に関する高さの差を小さくすることができる。
【図面の簡単な説明】
【００１８】
【図１】図１Ａは第１実施形態の椅子の第１状態を示す正面図であり、図１Ｂは当該椅子の背面図である。
【図２】図２Ａは第１実施形態の椅子が複数並んだ状態を示す平面図であり、図２Ｂはそれら複数の椅子の底面図である。
【図３】図３Ａは図３ＢのＩＩＩＡ−ＩＩＩＡ断面図であり、図３Ｂは第１実施形態の椅子を示す側面図である。
【図４】図４Ａは第２状態である第１実施形態の椅子が複数並んだ状態を示す正面図であり、図４Ｂはそれら複数の椅子の平面図であり、図４Ｃはそれら複数の椅子の側面図である。
【図５】第１実施形態の椅子の動作を説明する側面図である。
【図６】図６Ａは第１実施形態の椅子の背もたれを示す正面図であり、図６Ｂは当該背もたれの側面図であり、図６Ｃは当該背もたれの背面図であり、図６Ｄは当該背もたれの底面図である。
【図７】図７Ａは表側枠体を示す背面図であり、図７Ｂは表側枠体の側面図であり、図７Ｃは図７ＡのＶＩＩＣ−ＶＩＩＣ断面図である。
【図８】図８Ａは裏側枠体を示す正面図であり、図８Ｂは裏側枠体の側面図であり、図８Ｃは図８ＡのＶＩＩＩＣ−ＶＩＩＩＣ断面図である。
【図９】図９Ａは第２実施形態の椅子の第１状態を示す側面図であり、図９Ｂは当該椅子の第２状態を示す側面図である。
【図１０】図１０Ａは第３実施形態の椅子の第１状態を示す正面図であり、図１０Ｂは当該椅子の背面図である。
【図１１】図１１Ａは第３実施形態の背もたれの背面図であり、図１１Ｂは第３実施形態の背もたれの側面図であり、図１１Ｃは第３実施形態の背もたれの平面図である。
【図１２】図１２Ａは図１１ＢのＸＩＩＡ−ＸＩＩＡ断面図であり、図１２Ｂは図１１ＢのＸＩＩＢ−ＸＩＩＢ断面図である。
【図１３】図１０ＢのＸＩＩＩ−ＸＩＩＩ断面図であって、背もたれ周辺のみ示す図である。
【図１４】図１４Ａが第３実施形態の背もたれの変形例を示す正面図であり、図１４Ｂが図１４ＡのＸＩＶＢ−ＸＩＶＢ断面図である。
【図１５】第３実施形態の背もたれの変形例を示す正面図である。
【図１６】図１６Ａは第３実施形態の背もたれの変形例を示す正面図であり、図１６Ｂは図１６ＡのＸＶＩＢ−ＸＶＩＢ断面図であり、図１６Ｃは他の変形例を示す断面図である。
【図１７】第３実施形態の背もたれの変形例を示す正面図である。
【図１８】図１８Ａは第３実施形態の背もたれの変形例を示す背面図であり、図１８Ｂは第３実施形態の背もたれの変形例を示す側面図であり、図１８Ｃは図１８ＢのＸＶＩＩＩＣ−ＸＶＩＩＩＣ拡大断面図である。
【図１９】第３実施形態の背もたれの変形例を示す正面図である。
【図２０】図２０Ａはその他の実施形態の椅子の第１状態を示す正面図であり、図２０Ｂは当該椅子の背面図である。
【図２１】図２０ＢのＸＸＩ−ＸＸＩ断面図であって、背もたれのみ示す図である。
【発明を実施するための形態】
【００１９】
以下に本開示の実施形態を図面と共に説明する。
［１．第１実施形態］
［１−１．全体構成］
図１Ａ〜図５に、本実施形態の椅子１を示す。椅子１は、階段式移動観覧席に用いられる。なお以下の説明において、上下、左右、及び前後の方向は、椅子１に正しく着席した使用者（以下、着席者）を基準とした方向である。また特に断らない限り、上記の方向は図１Ａ〜図３に示される後述する第１状態のときの方向を意味する。
【００２０】
椅子１は、着席者が着座可能な着座面を有する座体１１と、背もたれ１２と、肘掛け１３と、を備える。座体１１及び背もたれ１２は、左右一対の脚部１４により支持され、左右一対の脚部の間に配置される。肘掛け１３は、脚部１４それぞれの上方に配置される。また、柱状のリンク部材２４が背もたれ１２と脚部１４とを繋ぐように連結されている。
【００２１】
隣接する２つの椅子１の間に配置される脚部１４は、図２Ａ、図２Ｂに示されるように、それら２つの椅子１の座体１１及び背もたれ１２を支持する。複数の椅子１の備える複数の脚部１４は、左右方向に延びる脚支持軸１５によって、その下端部分が互いに連結されている。脚支持軸１５は、床面連結部１６を介して椅子１が設置される設置面に連結される。つまり複数の脚部１４は、脚支持軸１５及び床面連結部１６を介して設置面に連結される。
【００２２】
図３Ｂに示されるように、座体１１、背もたれ１２、リンク部材２４、及び脚部１４は、リンク機構を構成している。以下で説明する軸２１、２２、２３、２５は、座体１１及び背もたれ１２の左側に配置されるものであるが、座体１１及び背もたれ１２の右側にも対称となる位置に設けられている。
【００２３】
座体１１は、前後方向の中央よりも後方側の位置において、脚部１４に設けられ左右方向に伸びる軸２１を中心に回転可能に連結されている。座体１１の後端と背もたれ１２の下端は、左右方向に伸びる軸２２を中心に回転可能に連結されている。リンク部材２４の前端は、脚部１４に設けられ、左右方向に伸びる軸２５を中心に回転可能に構成されている。またリンク部材２４は、その後端において、左右方向に伸びる軸２３を中心に背もたれ１２に対して回転可能に連結されている。軸２３は、背もたれ１２の上下方向中央よりやや下部に配置される。なお、軸２２及び軸２３は、背もたれ１２の左右に設けられる背受け１７に対して連結されている。
【００２４】
椅子１は上述したようにリンク機構を構成することにより、図３Ｂに示される第１状態と、図４Ｃに示される第２状態と、に遷移する。このときの椅子の形態の変化を図５を用いて説明する。図５に実線で示される第１状態から、座体１１が軸２１を中心回転して座体１１の前方が上昇すると、座体１１の後方にて連結された背もたれ１２は下降すると共に前方に移動する。つまり、椅子１は、背もたれ１２が相対的に後方に位置する第１状態と、該第１状態よりも背もたれ１２が相対的に前方に位置する第２状態と、に遷移可能である。
【００２５】
なお、背もたれ１２の上端は背もたれ１２の下端よりも大きく前方に移動する。つまり、背もたれ１２は前傾する方向に回転する。このように、設置面である段床３２を基準とした背もたれ１２の傾斜角度は変更可能であり、その角度は第１状態と第２状態とで異なる。具体的には、第１状態では背もたれ１２は後方に傾斜しており、第２状態では、第１状態と比較して相対的に前方に傾斜し、図５に示されるように設置面に対して略垂直となる。なお、ここでいう「相対的に前方に傾斜」した状態とは、言い換えると、背もたれ１２の下端の位置を基準としたときの背もたれ１２の上端の位置が、比較対象となる状態（背もたれ１２が後方に傾斜した状態）と比べて、前方に位置している状態ともいえる。また、相対的に前方に傾斜した状態とは、必ずしも上端が下端より前方に位置していなくてもよい。
【００２６】
また、肘掛け１３は軸２５を中心としたリンク部材２４の回転に伴って回転する。リンク部材２４の回転を肘掛け１３に伝える方法は特に限定されない。例えば、肘掛け１３は図５において右回りに付勢されており、リンク部材２４又はそれに追従する図示しないストッパに当接することによりその位置が定められるように構成されていてもよいし、肘掛け１３とリンク部材２４とが連動して回転するように互いに連結していてもよい。肘掛け１３は、第１状態においては水平に近い角度となり、第２状態においては垂直に近い角度となる。よって、第２状態では、椅子１全体として前後方向の幅が小さく折り畳まれた状態となる。
【００２７】
なお、座体１１などに何ら荷重が加わらないときには、椅子１は自重によって第２状態となってもよい。この場合、着席者が座体１１に座るなど、座体１１に荷重が加わることで椅子１は第１状態が維持される。
【００２８】
階段式移動観覧席は、図５に示されるように、高さの異なる複数の段床３２を備える。図示しないが、複数の段床３２が上下方向に重なった状態である収納状態と、複数の段床３２が階段状に展開されて観覧席を構成する状態である展開状態と、に遷移可能に構成されている。
【００２９】
椅子１は、複数の段床３２それぞれに連結されている。各段床３２において、椅子１は図２Ａ、図２Ｂに示されるように複数配置される。脚支持軸１５は、図示しない駆動部の駆動力を受けて回転する。複数の椅子１は、脚支持軸１５が回転することで、脚部１４が段床３２に対して垂直に立った状態と、図５に一点鎖線で示されるように、前方に倒されて脚部１４が段床３２に沿った状態と、に遷移可能である。
【００３０】
［１−２．背もたれの構造］
図６Ａ〜図６Ｃを用いて、背もたれ１２の構成を説明する。背もたれ１２は、シート状部材４１と、一対の保持部４２と、複数の連結部材４３と、を備える。
【００３１】
シート状部材４１は、背もたれ１２における着座した使用者と当接する部分を構成する。このシート状部材４１は、弾性を有する部材であり、本実施形態では、メッシュ状の形状である。なおシート状とは、薄く拡がる布や紙のような形状を意味するが、厚みを有していてもよい。
【００３２】
一対の保持部４２は、椅子１を第１状態としたときに上下方向に長さを有する柱状である。一対の保持部４２は、左右方向に間隔を開けて設けられ、シート状部材４１を保持する。一対の保持部４２それぞれは、直線的に延びている。また、一対の保持部４２を架け渡すように、複数の連結部材４３が設けられている。
【００３３】
また、一対の保持部４２は、それらの上端同士を連結する上柱４４と、それらの下端同士を連結する下柱４５と、を備えている。上柱４４及び下柱４５は、左右方向の中央が後方に凸となるように湾曲した形状である。シート状部材４１を保持する一対の保持部４２と、それらを連結する上柱４４及び下柱４５は、全体として矩形の枠型の枠体３１を構成する。別の言い方をすると、背もたれ１２は、平面視で四角形の枠体３１に、開口部を覆うように当接面となるシート状部材４１が張り掛けられたものである。
【００３４】
本実施形態では、枠体３１は、表裏方向に重ねられた表側枠体５１と裏側枠体５２とを備える。シート状部材４１は、表側枠体５１に取り付けられている。シート状部材４１を表側枠体５１に取り付ける具体的な手法は特に限定されないが、例えば、特許第３８４５０４９号公報に開示される手法を用いてもよい。また、裏側枠体５２には、複数の連結部材４３が設けられている。
【００３５】
表側枠体５１は、図７Ａ〜７Ｃに示されるように、矩形の枠型である。中央に形成される開口の周辺は、後方から前方に凹む凹部５３が形成されている。
裏側枠体５２は、図８Ａ〜８Ｃに示されるように、矩形の枠型である。裏側枠体５２は、複数の連結部材４３と一体に形成されている。裏側枠体５２における枠型部分には、前方に突出する凸部５４が形成されている。この凸部５４は、上述した凹部５３に挿入可能に構成されている。凸部５４を凹部５３へ挿入した状態でネジ等により固定することで、表側枠体５１と裏側枠体５２とが一体に構成される。なお、本実施形態では、シート状部材４１は前述の特許第３８４５０４９号公報に開示される手法にて表側枠体５１と一体成型されており、シート状部材４１の端部は、裏側枠体５２によって覆い隠されている。
【００３６】
連結部材４３は、シート状部材４１の後方において、シート状部材４１から前後方向に間隔を開けて配置される。連結部材４３それぞれは、一対の保持部４２の長手方向に幅を有する板状の部材であって、その長手方向に並び、かつ、その長手方向に間隔を開けて配置されている。
【００３７】
また、連結部材４３それぞれは、図２Ａ〜図３Ａなどに示されるように、上柱４４及び下柱４５と同様に、該連結部材４３の左右方向の中央が後方に凸となるように湾曲した形状である。
【００３８】
図６Ｃに示されるように、複数の連結部材４３は、一対の保持部４２における上下方向の中央よりも上部及び下部を含むほぼ全面に配置されているが、上柱４４の近傍と、下柱４５の近傍と、には比較的広く配置されていない領域がある。なお、上柱４４の近傍の方が、下柱４５の近傍よりも連結部材４３が配置されていない範囲が広い。
【００３９】
［１−３．効果］
以上詳述した第１実施形態によれば、以下の効果が得られる。
（１ａ）椅子１は、背もたれ１２における着席者の当接する部分に弾性を有するシート状部材４１を用いているため、硬い背もたれを用いた椅子と比較して、着席者が背もたれ１２に当接したときに良好に背中にフィットすることとなり、座り心地が向上する。
【００４０】
（１ｂ）背もたれ１２は、シート状部材４１を用いることによって背もたれ１２の前後方向の幅を小さくできる。階段式移動観覧席においては、複数の段床３２の上下方向の隙間に椅子を収納する場合があるが、椅子１を用いることで、収納のために必要な複数の段床３２の上下方向の間隔を小さくすることができる。よって、例えば上下に並ぶ段床３２の高さの差を小さくしたり、開いたスペースに他の装置等を配置したりすることができるようになる。
【００４１】
（１ｃ）階段式移動観覧席では、展開状態においては、後方の椅子１ほど高い位置に配置されることとなるため、前方の椅子１の背もたれ１２に後方の椅子１の着席者の足や荷物などが当たりやすくなってしまう場合がある。しかしながら背もたれ１２には、複数の連結部材４３がシート状部材４１の後方を覆っているため、着席者の背中に後方から何らかの物が当たること抑制することができ、着席者が不快に感じることを抑制できる。
【００４２】
（１ｄ）複数の連結部材４３は、シート状部材４１から前後方向に間隔を開けて配置されており、また左右方向の中央が後方に凸となっている。そのため、着席者の背中が複数の連結部材４３に当たってしまうことを抑制でき、それにより、着席者が不快に感じてしまうことを抑制できる。
【００４３】
（１ｅ）複数の連結部材４３は、一対の保持部４２の長手方向に幅を有する板状の部材であって、さらに、長手方向に間隔を開けて並ぶように設けられている。そのため、背もたれ１２の幅が大きくなることを抑制しつつ、シート状部材４１の後方の広い範囲を覆うことができる。
【００４４】
（１ｆ）左右一対の保持部４２は、直線状に延びる形状である。そのため、例えば前後方向にカーブする背もたれと比較すると、背もたれ１２の厚さを抑制して平面的な形状とすることができる。そのため、特に椅子１が第２状態にあるときの椅子全体の幅を小さくすることができる。
【００４５】
［２．第２実施形態］
［２−１．全体構成］
第２実施形態において第１実施形態と共通する構成については説明を省略し、相違点を中心に説明する。なお、第１実施形態と同じ符号は、同一の構成を示すものであって、先行する説明を参照する。
【００４６】
図９Ａ−９Ｂに示すように、本実施形態の椅子１０１は、基部１１１と、脚部１１３と、座体１１５と、背もたれ１１７と、を備える。
基部１１１は、当該椅子１０１が設置される平面である設置面１０３に配置される。脚部１１３は、基部１１１に設けられた回転軸を中心として前後に揺動可能に構成されている。なお図９Ａは脚部１１３が後方に揺動し、背もたれ１１７が後方に移動して机１０２との間隔が大きくなった第１状態であり、図９Ｂは脚部１１３が前方に揺動し、背もたれ１１７が前方に移動して机１０２との間隔が小さくなった第２状態を示している。
【００４７】
背もたれ１１７は、基本的に背もたれ１２と同様の構成である。即ち、背もたれ１１７は、座体１１５と一体に構成されている点で背もたれ１２とは相違するものの、第１実施形態のシート状部材４１、一対の保持部４２、連結部材４３、上柱４４などと同様の形状を有している。
【００４８】
［２−２．効果］
以上詳述した第２実施形態によれば、前述した第１実施形態の効果（１ａ）、（１ｄ）、（１ｅ）に加え、以下の効果が得られる。
【００４９】
（２ａ）椅子１０１は、第２状態となることで椅子１０１の後方の空間を広く確保することができ、椅子１０１の後方を人が通過し易くなる。そして椅子１０１は背もたれの厚さが抑制されていることから、椅子１０１の後方の空間をより広くすることができる。
【００５０】
［３．第３実施形態］
［３−１．全体構成］
第３実施形態において第１実施形態と共通する構成については説明を省略し、相違点を中心に説明する。
図１０Ａ〜図１１Ｃに示される本実施形態の椅子２０１は、第１実施形態の椅子１と比較して背もたれの構成が相違する以外は同一の構成である。なお、第１実施形態と同じ符号は、同一の構成を示すものであって、先行する説明を参照する。
【００５１】
［３−２．背もたれの構成］
椅子２０１に用いられる背もたれ２１１は、正面視で略矩形である。また背もたれ２１１は、平面視では、左右両端ほど前方に位置し、中央ほど後方に位置するように緩やかにカーブしている。
【００５２】
背もたれ２１１は、略矩形の背板２２１と、背板の上端に設けられる突出部２２３と、背板の下端に設けられる屈曲部２２４と、を備える。
背板２２１は、当該椅子２０１の着席者の背中に当接する位置に配置される。この背板２２１は、全体として薄い板状であり、シート状部材に相当する。
【００５３】
背板２２１における左右方向の中央の領域を第１領域２３１とし、背板２２１における第１領域２３１よりも左右の端部側に位置する領域を第２領域２３２とする。図１２Ａ及び図１２Ｂに示されるように、第１領域２３１の厚さＬ１は、第２領域２３２の厚さＬ２よりも大きい。また図１２Ａに示されるように、背板２２１の左右の両端部のうちの上下方向に関する上側の領域は、当該背板２２１における同一の高さの部分のうちの最も厚さの小さい最薄部２３３である。
【００５４】
より厳密には、背板２２１は、左右方向の中央から左右の両端に向かって徐々に厚さが小さくなっている。つまり、第１領域２３１の厚さは第２領域２３２の厚さよりも大きく、また、第１領域２３１及び第２領域２３２それぞれの内部でも厚さは異なっている。
【００５５】
背板２２１の主たる部分は、熱可塑性エラストマーにより構成される。なお、熱可塑性エラストマーを含む混合物を背板２２１の素材として成形されていてもよい。
また図１３に示されるように、背板２２１は、下側の端部が最も厚さが大きく、上側に向かって徐々に厚さが小さくなるように形成されている。図１３は椅子１の左右方向の中央の断面図であるが、背板２２１は左右方向のいずれの位置でも上側ほど厚さが小さくなるように形成されている。
【００５６】
突出部２２３は、背板２２１の上端の左右方向全域において、後方に突出する板状の部分である。また屈曲部２２４は、背板２２１の下端の左右方向全域において、後方に突出する板状の部材である。
【００５７】
［３−３．効果］
以上詳述した背もたれ２１１を備える第３実施形態によれば、前述した第１実施形態の効果（１ａ）と同様の効果を奏し、さらに以下の効果が得られる。
【００５８】
（３ａ）上述した背もたれ２１１では、背板２２１の第２領域２３２が第１領域２３１と比較して相対的に変形しやすくなる。そのため、例えば図１１Ｃにおいて二点鎖線で示すように、背板２２１の端部が後方に容易に弾性変形しやすくなる。よって、例えば着席者が後方に体を向けるときなどに動きの妨げになりにくい。また、着席者が前を向く場合には、剛性の高い第１領域２３１にて背中を十分に支持できるため、背もたれの柔軟性が高すぎることによって背もたれの機能が損なわれてしまうことがない。
【００５９】
（３ｂ）背板２２１は、上側に向かって徐々に厚さが小さくなっているため、背板２２１の上側ほど相対的に柔軟性が高くなる。よって、着席者が体を動かす際に背板２２１がその動作を妨げてしまうことを高度に抑制できる。
【００６０】
（３ｃ）背もたれ２１１は、突出部２２３及び屈曲部２２４を備えるため、背もたれ２１１の剛性が過度に低下してしまうことにより背もたれ２１１の形態が崩れてしまうことを抑制できる。背もたれ２１１はエラストマーを含む材料により構成されているため高い柔軟性を有しているが、このような場合であっても十分に形状の維持を実現できる。
【００６１】
（３ｄ）背板２２１は、左右方向の中央から左右の両端に向かって徐々に厚さが小さくなるため、背板２２１の柔軟性が急激に変化することにより着席者が感じる違和感を低減できる。また、背板２２１に荷重が加えられたときに一箇所に応力が集中してしまうことを抑制できるため、背板２２１の破損を抑制できる。
【００６２】
なお、本明細書でいう「徐々に厚さが小さくなる」とは、滑らかに厚さが変化する場合のみでなく、例えば３つ以上の多くの段階で厚さが変化することを含む。また、全体の中の一部の範囲において、厚さが変化しない範囲が含まれていてもよい。
【００６３】
（３ｅ）背もたれ２１１の左右の両端部における背受け１７の上側の領域は、同一の高さにおいて厚さがもっとも薄い最薄部２３３である。このように、背板２２１の左右の端部において剛性が高い部分が設けられていないことによって、背もたれ２１１の両端部における柔軟性の低下を抑制することができる。
【００６４】
［３−４．第３実施形態の変形例］
（３ア）背もたれ２１１の具体的な形状は第３実施形態に示した形状に限定されるものではない。例えば、背もたれは矩形である必要はなく、丸みを帯びた形状、左右が非対称な形状など、様々な形状を採用することができる。また、突出部２２３、屈曲部２２４の形状も特に限定されない。例えば、それらが設けられる位置、突出量、厚さ、幅などは任意に定めることができる。また、背もたれ２１１には突出部２２３及び屈曲部２２４の一方又は両方が設けられていなくてもよい。
【００６５】
（３イ）第３実施形態では、背板２２１の厚さが左右方向両端に向けて徐々に小さくなる構成を例示したが、第１領域と比較して薄い第２領域を備える背板であればその具体的な形状は限定されない。例えば、第１領域は背板における左右方向の中央の領域を含む領域であれば、その具体的な広さは特に限定されない。例えば左右方向の中央近傍の比較的狭い範囲を第１領域としてもよい。また第２領域は、第１領域よりも左右の端部側の領域であれば、その広さは特に限定されない。また図１４Ａ−図１４Ｂに示される背もたれ３０１のように、第１領域３０３及び第２領域３０５はそれぞれ一定の厚さであってもよい。また、第１領域と第２領域との間に、それらの厚さよりも厚さが大きい又は小さい領域が存在していてもよい。また背板の厚さが、左右両端に向けて段階的に小さくなる形状であってもよい。また、背板の左右方向の全体において徐々に背板の厚みが小さくなる構成でもよいし、背板の左右方向の一部において徐々に背板の厚みが小さくなる構成でもよい。このような背もたれ３０１は、シート状部材に相当する。
また第１領域及び第２領域は、背板の上下方向の全域であってもよいし、背板の上下方向の一部の領域であってもよい。例えば背板の上端部と下端部を除く範囲としてもよい。
【００６６】
（３ウ）第３実施形態では、背板２２１は、全体的に、上側に向かって徐々に厚さが小さくなる構成を例示したが、上側に向かって徐々に厚さが小さくなる部分を含んでいれば、上記の形状は上下方向の全域で形成されていなくともよい。例えば、背板の左右方向に関する一部の範囲において上記の形態を有していてもよいし、背板の上下方向に関する一部の範囲において上記の形態を有していても良い。なお、少なくとも第２領域において上記の形態を有していれば、着席者の動きの妨げを抑制できるという効果を良好に奏する。また背板は、上下方向に関して、厚さが徐々に変化する部位を有していなくてもよい。
【００６７】
（３エ）上記実施形態では、背受け１７が背板２２１の左右両端に設けられる構成を例示したが、背板における背受けが設けられる位置は、左右の両端でなくてもよい。例えば、図１５に示される背もたれ３２１のように、第２領域３２５ではなく、第１領域３２３に背受け３２７が接続されていてもよい。このような背もたれ３２１は、シート状部材に相当する。また背受け３２７は、連結部に相当する。
【００６８】
また、背受けが連結される先は、椅子の座体又は座体を支持する支持体であれば特に限定されない。また、背受けと共にさらに別の部材を介して、背もたれと座体又は支持体とが連結されていてもよい。言い換えると、背受けは、椅子の座体と、背もたれと、の位置関係を定めるための部品である。
【００６９】
（３オ）背板には、柔軟性を向上させるための柔軟構造が設けられていてもよい。また柔軟構造は、第２領域に設けられており、第１領域には設けられていなくてもよい。例えば、図１６Ａ〜図１６Ｂに示される背もたれ３３１は、少なくとも第２領域３３７には、背板３３３の表側から裏側まで貫通する複数の貫通孔３３９が形成されている一方、第１領域３３５には、貫通孔が形成されていない。このように構成することで、貫通孔により第２領域３３７の柔軟性を向上できる一方、第１領域３３５の剛性低下を抑制できる。また、通常の姿勢で背中に当接しやすい部分である第１領域３３５に貫通孔が設けられないことで、貫通孔によって着席者が違和感を覚えてしまうことを抑制できる。なお貫通孔３３９は、左右方向に関して外側に位置するほど孔径が小さくなるように構成されていてもよいし、上下方向に関して上側に位置するほど孔径が小さくなるように構成されていてもよい。また、貫通孔３３９は、左右方向に関して外側に位置するほど孔径が大きくなるように構成されていてもよいし、上下方向に関して上側に位置するほど孔径が大きくなるように構成されていてもよい。
【００７０】
また図１６Ｃに示されるように、貫通孔３３９に代えて、ディンプル３４１が形成されていてもよい。この場合、左右方向に関して外側に位置するほどディンプル３４１が小さくなるように構成されていてもよいし、上下方向に関して上側に位置するほどディンプル３４１が小さくなるように構成されていてもよい。また、左右方向に関して外側に位置するほどディンプル３４１が大きくなるように構成されていてもよいし、上下方向に関して上側に位置するほどディンプル３４１が大きくなるように構成されていてもよい。
【００７１】
また図１７に示される背もたれ３５１のように、少なくとも第２領域３５７には、背板３５３の表側から裏側まで貫通する複数のスリット３５９が形成されていてもよい。また第１領域３５５には、スリットが形成されていなくてもよい。
このような背もたれ３３１及び背もたれ３５１は、シート状部材に相当する。
【００７２】
（３カ）第３実施形態では、背板の左右の両端部のうちの上下方向に関する中央より上の部分が、当該背板における同一の高さの部分のうちの最も厚さの小さい最薄部２３３である構成を例示した。しかしながら、最薄部２３３は実施形態の位置に限定されず、背板の左右の両端部のうちの上下方向に関する少なくとも一部に設けられていれば、背板の周縁部分の柔軟性を向上させることができる。また、最薄部２３３は背もたれに設けられていなくてもよい。
【００７３】
（３キ）第３実施形態では、背受け１７が背もたれ２１１を保持する構成を例示した。しかしながら、背もたれを保持する構造は上記の構成に限定されない。例えば、パイプ状の構造物により背もたれが保持されてもよい。
【００７４】
例えば、図１８Ａ〜図１８Ｃに示されるように、背もたれ３６１は、左右一対のパイプ体３７１により支持されてもよい。背もたれ３６１は、略矩形の背板３８１と、背板の左右両端に設けられる一対のパイプ保持部３８２と、背板の上端に設けられる突出部３８３と、背板の下端に設けられる屈曲部３８４と、を備える。背板３８１は、シート状部材に相当する。またパイプ体３７１は、連結部に相当する。
【００７５】
背板３８１における左右方向の中央の領域を第１領域３８６とし、背板３８１における第１領域３８６よりも左右の端部側に位置する領域を第２領域３８７とする。第１領域３８６の厚さは、第２領域３８７の厚さよりも大きい。また、背板３８１の左右の両端部のうちの上下方向に関する上側の領域は、当該背板３８１における同一の高さの部分のうちの最も厚さの小さい最薄部３８８である。背板３８１は、パイプ保持部３８２が形成されている部分を除き、左右方向の中央から左右の両端に向かって徐々に厚さが小さくなっている。
【００７６】
一対のパイプ保持部３８２は、背板３８１の左右の両端部における、上下方向に関して下側の領域に設けられている。一対のパイプ保持部３８２は、周囲の部分よりも肉厚であり、背板３８１から後方に向けて突出している。また一対のパイプ保持部３８２それぞれの内部には、パイプ体３７１が挿入されている。よって、一対のパイプ保持部３８２は、背板３８１における各パイプ保持部３８２の周囲の部分よりも剛性が高い。一対のパイプ保持部３８２が、高剛性部に相当する。
【００７７】
背もたれ３６１は、下端の左右２箇所において設けられているパイプ保持部３８２の剛性が高いため、着席者の動作に影響の小さい背もたれ３６１の下部の剛性を高くでき、背もたれ３６１が必要以上に柔らかくなってしまうことを抑制できる。
【００７８】
なお、背もたれ３６１では、上述した高剛性部として、下端から中央までに設けられる一対のパイプ保持部３８２を備える構成を例示したが、これに限定されるものではない。例えば、高剛性部は周囲よりも剛性が高ければその具体的な構成は特に限定されない。具体的には、高剛性部は、周囲より厚さが大きい部分であってもよい。また高剛性部は、周囲よりも剛性が高い部材により構成されていてもよいし、周囲よりも剛性が高い部材を含んでいてもよい。
【００７９】
また高剛性部は、少なくとも背板の左右の両端部における少なくとも下側の領域に設けられていてもよい。例えば図１９に示される背もたれ３９１のように、高剛性部３９３は左右両端の下端から離れた位置に設けられていてもよい。また、高剛性部は、背板の左右両端部における上側の領域にも設けられていてもよい。また、左右方向の両端部において、高剛性部は、備えられていなくともよい。
【００８０】
以上説明した第３実施形態の背もたれは、少なくとも以下の技術思想を包含する。
［３Ａ］
椅子に用いられる背もたれであって、
当該椅子の着席者の背中に当接する位置に配置される背板を備え、
前記背板における左右方向の中央の領域を含む第１領域の厚さは、該背板における前記第１領域よりも左右の端部側に位置する領域である第２領域の前記厚さよりも大きい、背もたれ。
［３Ｂ］
［３Ａ］の背もたれであって、
前記背板は、上側に向かって徐々に厚さが小さくなる部分を含む、背もたれ。
［３Ｃ］
［３Ａ］又は［３Ｂ］の背もたれであって、
前記背板の左右の両端部における少なくとも下側の領域には、該背板における周囲よりも剛性が高い高剛性部を備えている、背もたれ。
［３Ｄ］
［３Ａ］から［３Ｃ］のいずれか１つの背もたれであって、
前記第１領域には、当該背もたれを前記椅子の座体又は前記座体を支持する支持体と連結する連結部が接続されている、背もたれ。
［３Ｅ］
［３Ａ］から［３Ｄ］のいずれか１つの背もたれであって、
少なくとも前記第２領域には、前記背板の柔軟性を向上させるための柔軟構造が形成されている一方、前記第１領域には、前記柔軟構造が形成されていない、背もたれ。
［３Ｆ］
［３Ａ］から［３Ｅ］のいずれか１つの背もたれであって、
前記背板の上端には、後方に突出する突出部が設けられている、背もたれ。
［３Ｇ］
［３Ａ］から［３Ｆ］のいずれか１つの背もたれであって、
前記背板は、左右方向の中央から左右の両端に向かって徐々に厚さが小さくなる領域を含む、背もたれ。
［３Ｈ］
［３Ａ］から［３Ｇ］のいずれか１つの背もたれであって、
前記背板の左右の両端部のうちの上下方向に関する少なくとも一部は、当該背板における同一の高さの部分のうちの最も厚さの小さい部分である、背もたれ。
［３Ｉ］
［３Ａ］から［３Ｈ］のいずれか１つの背もたれであって、
前記背板の主たる部分は、熱可塑性エラストマー、又は、熱可塑性エラストマーを含む混合物を素材として成形されている、背もたれ。
［３Ｊ］
［３Ａ］から［３Ｉ］のいずれか１つの背もたれを備える椅子。
【００８１】
［４．その他の実施形態］
以上、本開示の実施形態について説明したが、本開示は、上記実施形態に何ら限定されることはなく、本開示の技術的範囲に属する限り種々の形態をとり得ることはいうまでもない。
【００８２】
（３Ａ）上記実施形態では、シート状部材としてメッシュ又はエラストマーシートを用いる構成を例示したが、これに限定されず、弾性を有する様々な部材を用いることができる。例えば、弾性を有する形状である金属シートなどであってもよい。
【００８３】
（３Ｂ）上記実施形態では、連結部材４３は板状であって湾曲した形状である構成を例示したが、左右一対の保持部４２を掛け渡す形状であれば、上記の形状に限定されるものではない。例えば、連結部材は円柱状、角柱状などの形状を有していてもよい。また、連結部材は幅広の板状、帯状、薄板状などの形状であってもよく、スリットや貫通孔が形成されていてもよい。
【００８４】
また連結部材４３は１つのみ設けられていてもよい。その場合には、連結部材の長手方向に長さを有するように構成されていてもよい。
また連結部材４３は、背もたれ１２又は背もたれ１１７の下部にのみ設けられていてもよいし、上部にのみ設けられていてもよい。また、連結部材４３は、枠体３１の開口の全面を覆うように設けられていてもよい。
また連結部材４３は、上記実施形態で示したように背もたれと一体であってもよいし、背もたれとは別個の部材であってもよい。
【００８５】
（３Ｃ）上記実施形態では、一対の保持部４２は直線的な柱状である構成を例示したが、これに限定されず、様々な形状とすることができる。例えば保持部４２それぞれはカーブした形状であってもよいし、長手方向に太さや厚さが変化する形状であってもよい。
【００８６】
（３Ｄ）上記実施形態では、背もたれ１２は、枠体３１を有する構成を例示したが、枠体３１を備えていなくともよい。つまり、例えば上柱４４及び下柱４５の少なくとも一方を有していなくてもよい。また、枠体３１のように表側枠体５１と裏側枠体５２とを含む構成でなくてもよい。例えば、枠体３１は分離不能に構成された１つの部材であってもよい。また枠体３１は３つ以上の多数の部材の組み合わせによって構成されていてもよい。
また、一対の保持部４２がシート状部材４１を保持するための構成も特に限定されず、シート状部材４１を保持することができる様々な構成を採用することができる。
【００８７】
（３Ｅ）上記実施形態では複数の連結部材４３は裏側枠体５２に設けられる構成を例示したが、これに限定されない。例えば複数の連結部材４３は表側枠体５１に設けられていてもよい。
【００８８】
なお、表側枠体とは、表側枠体及び裏側枠体を組み付けて１つの枠体を構成する場合に、正面側に配置される部材である。一方、裏側枠体は、上記の場合に、背面側に配置される部材である。また、表側枠体とは、枠体を構成する部品のうち、背もたれを正面から見たときに主に視認される部材であってもよい。また、裏側枠体とは、枠体を構成する部品のうち、背もたれを背面から見たときに主に視認される部材であってもよい。
【００８９】
また、一対の保持部４２が枠体を構成しない場合においても、表側の部材と裏側の部材とに分離していてもよい。その場合にも、裏側の部材に連結部材４３が設けられていてもよい。
【００９０】
（３Ｆ）また、上記実施形態では、枠体３１は、表裏方向に重ねられた表側枠体５１と裏側枠体５２とを備え、シート状部材４１は、表側枠体５１に取り付けられている構成を例示した。しかしながら、図２０Ａ〜図２１に示される椅子４０１のように、表側枠体に代えてシート状部材４１３を備え、裏側枠体５２とシート状部材４１３とが組み合わせて背もたれ４１１を構成していてもよい。このとき、シート状部材４１３は、エラストマー等の弾性を有する樹脂材料により構成されていてもよい。裏側枠体５２とシート状部材４１３との固定方法は特に限定されない。例えば、それらは接着剤により固定されていてもよいし、ネジ等を用いて固定されていてもよい。また、裏側枠体５２とシート状部材４１３とは、二色成形で製造されてもよい。その際、裏側枠体５２は、シート状部材４１３よりも硬度の高い樹脂部材でもよい。
【００９１】
（３Ｇ）上記第１実施形態では、階段式移動観覧席に用いられる椅子１を例示し、第２実施形態では、床面に連結され前後揺動する椅子１０１を例示した。しかしながら、背もたれが前後に移動する椅子であれば、上記各実施形態で例示した構成に限定されず、様々な椅子に対して本開示の背もたれを適用することができる。
【００９２】
（３Ｈ）上記第１実施形態では、第１状態では背もたれ１２が後方に傾斜し、第２状態では背もたれ１２が設置面（段床３２）に対し垂直となる構成を例示した。また上記第２実施形態では、第１状態では背もたれ１１７が後方に傾斜し、第２状態では背もたれ１１７が前方に傾斜する構成を例示した。しかしながら、第１状態と第２状態とは、背もたれの相対的な傾斜角度が相違すれば、各状態での傾斜位置は特に限定されない。例えば、第２状態も背もたれが後方に傾斜していてもよい。また、第１状態及び第２状態のいずれの状態でも背もたれが前方に傾斜していてもよい。
【符号の説明】
【００９３】
１，１０１，２０１，４０１…椅子、１１，１１５…座体、１２，１１７，２１１，３０１，３２１，３３１，３５１，３６１，３９１，４１１…背もたれ、１３…肘掛け、１４，１１３…脚部、１５…脚支持軸、１６…床面連結部、１７，３２７…背受け、２１，２２，２３，２５…軸、２４…リンク部材、３１…枠体、３２…段床、４１，４１３…シート状部材、４２…保持部、４３…連結部材、４４…上柱、４５…下柱、５１…表側枠体、５２…裏側枠体、５３…凹部、５４…凸部、１０２…机、１０３…設置面、１１１…基部、２２１，３３３，３５３，３８１…背板、２２３，３８３…突出部、２２４，３８４…屈曲部、２３１，３０３，３２３，３３５，３５５，３８６…第１領域、２３２，３０５，３２５，３３７，３５７，３８７…第２領域、２３３，３８８…最薄部、３３９…貫通孔、３４１…ディンプル、３５９…スリット、３７１…パイプ体、３８２…パイプ保持部、３９３…高剛性部
【図１】
2019150568.tif 000003
【図２】
2019150568.tif 000004
【図３】
2019150568.tif 000005
【図４】
2019150568.tif 000006
【図５】
2019150568.tif 000007
【図６】
2019150568.tif 000008
【図７】
2019150568.tif 000009
【図８】
2019150568.tif 000010
【図９】
2019150568.tif 000011
【図１０】
2019150568.tif 000012
【図１１】
2019150568.tif 000013
【図１２】
2019150568.tif 000014
【図１３】
2019150568.tif 000015
【図１４】
2019150568.tif 000016
【図１５】
2019150568.tif 000017
【図１６】
2019150568.tif 000018
【図１７】
2019150568.tif 000019
【図１８】
2019150568.tif 000020
【図１９】
2019150568.tif 000021
【図２０】
2019150568.tif 000022
【図２１】
2019150568.tif 000023